(57)【要約】【課題】現在、数ある寝具類の中で、枕のずれと落下を防止し、さらに、枕の位置調整やバランス調整を可能とし、並びに枕元の整理整頓まで行うことができる多機能を有し、しかも小型簡易構造で実用性重視の枕ホルダーにする。【解決手段】左側面に蓋のない直方体の入れ物（１）の上面に、枕サイズ対応型自在バンド（９）付きの枕ケース（２）を、右側面には枕ケース出入専用口（４）を、背面には枕ホルダー接着・脱着促進用ファスナー（６）を、左側面に蓋のない直方体の入れ物（１）の左側端に、シーツ装着・脱着用接着具（７）と、枕ホルダーバランス調整バンド（１１）、収納ポケット（１０）を取り付ける。【選択図】　　図１
2004065872.tif 000002
【特許請求の範囲】
【請求項１】
左側面に蓋のない直方体の入れ物（１）の平面及び右側面に枕高低等バランス調整用接着具（３）を設け、左側面に蓋のない直方体の入れ物（１）の平面に、枕高低等バランス調整用接着具（３）を一端に取り付けた枕ケース（２）を設けた枕ホルダー。
【請求項２】
左側面に蓋のない直方体の入れ物（１）の右側面に、枕ケース（２）を格納する為の接着具を付けた枕ケース出入専用口（４）を設けた請求項１記載の枕ホルダー。
【請求項３】
左側面に蓋のない直方体の入れ物（１）の底面に、枕ホルダー装着・脱着促進用ファスナー（６）を設けた枕ホルダー。
【請求項４】
左側面に蓋のない直方体の入れ物（１）の底面に、枕ホルダー装着・脱着促進用バンド（６）を設けた枕ホルダー。
【請求項５】
左側面に蓋のない直方体の入れ物（１）の平面の左側端部に、シーツ装着・脱着接着具（７）を設けた枕ホルダー。
【請求項６】
枕ケース（２）のケース部に、枕サイズ対応型自在バンド（９）を設け反対側端に枕ケース本体接着具（５）を設けた枕ホルダー。
【請求項７】
左側面に蓋のない直方体の入れ物（１）の平面及び内側に、収納ポケット（１０）を設けた枕ホルダー。
【請求項８】
左側面に蓋のない直方体の入れ物（１）の左側端部の周囲に、枕ホルダーバランス調整バンド（１１）を設けた枕ホルダー。
【発明の詳細な説明】
【０００１】
【発明の属する技能分野】
本発明は、枕利用時における枕のずれ及び落下防止並びに枕の位置調整とバランス調整をする枕ホルダーに関する。
【０００２】
【従来の技術】
従来の寝具には、それぞれが目的を果たすべく商品として個々に開発され、現在も継続して存在していますが、枕を利用する際に他の寝具との関わりを持ち、枕がずれたり落下したりするのを防止し、更に、枕の位置を調整できる機能を併せ持った多目的機能付き寝具がないため、枕の取扱いでは健常者や障害者も、それに、一般家庭においても、そして業務用としても適当なものがなく不便を感じていた。
【０００３】
【発明が解決しようとする課題】
これは次のような欠点があった。
（イ）　枕の通常使用法は、敷布団又はマットレス上で使用する際には、平らな場所を選び、しかも、身体の大きさに合わせて位置を決めて設置するが、睡眠中などは無意識のうちに動かしたりする為、元の位置から多方向に移動し、安眠阻害要因のひとつになっていた。
（ロ）　介護軽減ベッドのような角度調整機能付ベッドは、枕やその他の諸物品を固定する装備が施されていないため、ずれたり滑り落ちることが多く、落下場所も背中の後方部やベッド下の床上だったりと範囲が広く、しかも、汚破損が発生したり不衛生な状態になっていた。
（ハ）　角度を自在に調整できるベッドで、背部を上げる、いわゆる背上げ機能付きのベッドでは、背上げ機能を元の状態に戻した場合には、枕をはじめシーッ等の敷物や諸物品も同様に、その都度復元しなければならないなど、大変煩わしかった。
【０００４】
【課題を解決するための手段】
本発明は上記目的を達成するために、左側面に蓋のない直方体の入れ物（１）をつくり、その平面部及び右側面部に枕を上下左右に移動させる際に必要となる、枕高低等バランス調整用接着具（３）を設け、左側面に蓋のない直方体の入れ物（１）の平面部に、枕高低等バランス調整用接着具（３）を一端に取り付けた、枕ケース（２）を設け、これら性質の異なる二つの物を接着具を用いて接合する。
【０００５】
左側面に蓋のない直方体の入れ物（１）の右側面部に、枕ケースを格納する為の枕ケースの大きさに合った、接着具付の枕ケース出入専用口（４）を設け、使用する際には、枕ケースを取り出しても枕ケースが接着されている為、そのまま使うことができ、使用後に格納する際には、枕ケース出入専用口（４）から入れ戻し接着具を用いて閉じる。
このようにすることにより、枕ホルダーは変形、又は分離することなく整理できる。
【０００６】
また、左側面に蓋のない直方体の入れ物（１）の底面の中心部、又は、適当な場所を選んで、枕ホルダーをマットレスや敷布団に装着する際、又は、取り外す際に作業を容易にし、しかも、皺の発生を防ぐ効果もある、枕ホルダー装着・脱着促進用のファスナー（６）、又は、バンドを設けることにより、誰にでも負担の少ない取り付け、及び、取り外しと各種の調整ができる。
【０００７】
左側面に蓋のない直方体の入れ物（１）の平面の左側端部には、シーツ等の敷物を接合するシーツ装着・脱着接着具（７）を設けることにより、枕ホルダーとのバランス性も良く、また、組み合わせも自在にできる。
【０００８】
枕ケース（２）のケース部には、種々の枕の形に対応し、また、ケース部への枕の出し入れを容易にするため、枕サイズ対応型自在バンド（９）を設けることにより、自力でも第三者が行う時においても、スムーズに対応できる。
【０００９】
左側面に蓋のない直方体の入れ物（１）の左側端部の周囲には、枕ホルダーの装着時又は取り外し時に余裕をつくり、それに、形状を整えたりする上で重要な枕ホルダーバランス調整バンド（１１）を設けることにより、枕ホルダーの機能を十分に発揮させることができる。
【００１０】
左側面に蓋のない直方体の入れ物（１）の平面部とインサイド、または、必要と思われる適当な箇所に対し、物品を収納するための物品収納ポケット（１０）を数カ所に設けることにより、身の回り品を効率よく整理整頓できる。
【００１１】
【発明の実施の形態】
発明の実施の形態を実施例にもとづき図面を参照して説明する。
図１に示される実施例では、左側面に蓋のない直方体の入れ物（１）を設け、平面部、及び右側面部の適当な箇所に枕ケース（２）を接合する際に必要となる枕高低等バランス調整用接着具（３）を取り付ける。この枕高低等バランス調整用接着具（２）材料は、取り付け及び取り外しが容易に行えるテープ状のものや、ボタン等のいずれの物品でも良いが、上下左右に移動させたり調整する際に、操作し易い物品であることが望ましい。
また、この左側面に蓋のない直方体の入れ物（１）は、筒状の形態を有しているものでもよく、素材については、布製、ビニール製など、どの様な素材を用いてもよく、特に限定するものではない。
【００１２】
図１に示される実施例で、左側面に蓋のない直方体の入れ物（１）の平面部、又は右側面部に、枕ケース本体接着具付の枕ケース（２）を取り付ける。
【００１３】
図２に示される実施例では、左側面に蓋のない直方体の入れ物（１）の右側面部の中央部、又はその付近に、枕ケース出入専用口（４）を設ける。
これは使用時には、枕ケース出入専用口（４）より、中に入れてある枕ケース（２）を取り出してセットし、使用後には枕ケース出入専用口（４）を開けて中に仕舞い入れる。
尚、枕ケース（２）は、枕ケースの一端に設けてある枕ケース本体接着具（５）と、枕ケース出入専用口（４）の一部を接合してある為、捩じれたり、ずれたり、また、落下したりしないほか、枕の重量等によって枕ホルダーの機能、及び形態の低下を招かない構造になっている。
本発明品の場合の接合箇所は縫合処理してあるが、縫合処理が最善として限定したものではなく、いずれの方法を導入してもよい効果が期待できる。
本発明品は、枕ケース出入専用口（４）を設けているが、設けない方法で枕ケース（２）を、左側面に蓋のない直方体の入れ物（１）の右側面部にある、枕高低等バランス調整用接着具（３）に直接接合させたまま取り扱ってもよく、保管についても同様の状態でも構わない。
【００１４】
図３に示される実施例では、左側面に蓋のない直方体の入れ物（１）の底面部に、枕ホルダーを取付ける際、又は取外す際に、開閉自在の枕ホルダー装着・脱着促進用ファスナー（６）を設けることにより、全作業がスムーズに行う事が出来ると共に、皺の発生を予防、又は防止出来る。
実施例では、装着・脱着促進用ファスナーを用いて説明しているが、各種バンドやボタン等、あらゆる具材を活用しても同様の効果がある。
【００１５】
左側面に蓋のない直方体の入れ物（１）の平面の左側端部に、シーッ等の敷物を接合させる場合に必要となるシーツ装着・脱着接着具（７）を設ける。
この場合にも、枕ケース（２）シーツ等の敷物も、素材・デザインなど、多種多様の組み合わせをすることにより、従来にない演出が可能となる。
【００１６】
図５に示される実施例では、左側面に蓋のない直方体の入れ物（１）の周辺に、伸縮が自在且つ枕ホルダーに発生する皺・縮み等を取り除く為に有効な、枕ホルダーバランス調整バンド（８）を取り付ける。
この枕ホルダーバランス調整バンド（８）は、ゴム製品に限定するものではなく、あらゆる方法を導入することにより、それぞれの特徴を生かした、最良の枕ホルダーが出来上がる。
【００１７】
枕ケース（２）の周辺、特に下部には、枕の大きさ・形状によって枕の出入れに困難を来さないように、ゴム等の伸縮性を有したもので、枕を押さえたり安定させたり、且つ、使用時に異物感や不快感のない枕サイズ対応型自在バンド（９）を設ける。尚、この枕サイズ対応型自在バンド（９）は、枕ケース部の筒の部分が伸縮しない素材の場合に効果を発揮するが、伸縮する素材を用いた場合には、必ずしも取付けをしなければならないというものではない。
但し、必要以上に伸縮性を帯びた素材を用いた場合には、枕の重量で枕ケースの筒部が歪んだり、安定を保てない恐れもあるため、変形しない程度の素材でなければならない。
【００１８】
左側面に蓋のない直方体の入れ物（１）の平面部、及び内側に、収納ポケットを設けることにより、生活する上で必要と認められる物品、例えば、体温計やメガネといった物品や、若干の貴重品等を保管するためのインサイドポケットを設けることにより、枕元がスッキリし、非常時の対応にも慌てることなく、安心して行動をおこせるメリットがある。
本発明は以上のような構造で、これを使用する時は、敷布団やマットレス等の単品に取り付ける場合、或いは、敷布団やマットレスにシーッ等の敷物を組合わせた状態の敷布団、又は、マットレス上方、所謂、頭部をやや直角に近いところまで持ち上げ、倒れないように押さえて枕ホルダーを手に持ち、上から被せるようにして接着し、枕ホルダーの形を整えた後、元の状態に戻し、枕ケース（２）の中に枕を入れる。枕ホルダーを交換擦る場合には、装着した要領とは逆の手順にすると、枕ホルダーを簡単に外せる。
このように、枕ホルダーは簡易構造であるため、一人でも簡単に行えるが、複数の人員で対応した場合には、更に、能率が向上する。
また、構成材料は布地に限定するものではなく、ビニール・ナイロン等のものでもよく、接着部材にも弾力性のあるゴム素材を用いると伸縮自在となり、幅広く対応することができる。
また、各部における接着又は接合方法も、縫合又はボタン止め・止め金具・ファスナー等々の方法に限定するものではなく、素材・使用箇所・使用状況等に応じて変えていくことにより効果が上がる。
枕ホルダーはシーツ等の敷物と一体成形加工したものを使用すると、機能性・取扱性・デザイン等々がさらに向上する。
【００１９】
【発明の効果】
本発明は、現在多くの医療施設等に入院、又は入所している病人や障害者が利用している介護軽減ベッドといわれる特別な機能付ベッドは、ベッドそのものの構造や機能には度々改良が施され、性能面でも飛躍的に向上しているが、ベッドに附属する関連用品については、遅れているのが現状である。
この枕ホルダーは、この様な状況下の用品郡に追従し、利用者自身に最高の環境を提供可能な、実用性を重視した寝装用品といえる。
尚、この枕ホルダーは、ユニバーサルデザイン商品、又は共用品としての性質や性格も有しており、医療用のみならず、一般家庭では寝相の悪い人や、新規デザインを導入して安眠効果を高めたい人に、業務用としては医療用としての他に、ビジネスホテルや旅館等の宿泊施設にも、新たな需要層の開拓に期待できる枕ホルダーである。
【図面の簡単な説明】
【図１】本発明の枕ホルダーの左側面図である。
【図２】枕ホルダーの枕ケース出入専用口の平面図である。
【図３】枕ホルダーの枕ホルダー装着・脱着促進用ファスナーの底面図である。
【図４】枕ホルダーのシーツ装着・脱着用接着具の平面図図である。
【図５】枕ホルダーの枕ホルダーバランス調整バンドの平面図である。
【図６】枕ケースの左側面図である。
【図７】枕ケースの収納ポケットの平面図である。
【符号の説明】
１　左側面に蓋のない直方体の入れ物
２　枕ケース
３　枕高低等バランス調整用接着具
４　枕ケース出入専用口
５　枕ケース本体接着具
６　枕ホルダー装着・脱着促進用ファスナー
７　シーツ装着・脱着用接着具
８　枕ホルダーバランス調整バンド
９　枕サイズ対応型自在バンド
１０　収納ポケット
【手続補正書】
【提出日】平成14年10月16日(2002.10.16)
【手続補正２】
【補正対象書類名】図面
【補正対象項目名】全図
【補正方法】追加
【補正の内容】
【図１】
2004065872.tif 000003
【図２】
2004065872.tif 000004
【図３】
2004065872.tif 000005
【図４】
2004065872.tif 000006
【図５】
2004065872.tif 000007
【図６】
2004065872.tif 000008
【図７】
2004065872.tif 000009